【手続補正書】
【提出日】平成22年10月20日(2010.10.20)
【手続補正１】
【補正対象書類名】特許請求の範囲
【補正対象項目名】全文
【補正方法】変更
【補正の内容】
【特許請求の範囲】
【請求項１】
少なくとも１種の潤滑粘度のオイル；
少なくとも１種の清浄剤であって、該清浄剤は、機能性流体の約０．０１５から約１重量％の範囲の濃度に等しい量の金属を、該機能性流体にもたらし、該清浄剤は、約０．３から約２の範囲の全塩基価に等しい量の塩基性を、該機能性流体にもたらす、清浄剤；ならびに
少なくとも１種の摩擦調整剤
を含む、機能性流体であって、該摩擦調整剤が、極性基または原子に結び付いた少なくとも２つのヒドロカルビル基を含み、該摩擦調整剤が、（ａ）少なくとも１種のカルボン酸または等価物と少なくとも１種のアミノアルコールとの反応生成物、（ｃ）次式
Ｒ１Ｒ２Ｎ−Ｃ（Ｘ）Ｒ３
によって表されるアミドまたはチオアミド（式中、ＸはＯまたはＳであり、Ｒ１およびＲ２はそれぞれ独立にヒドロカルビル基であり、Ｒ３は、ヒドロキシアルキル基、またはアシル化剤と該ヒドロキシアルキル基の、そのヒドロキシル基を通じての縮合によって生成する基である）、（ｄ）２つのヒドロカルビル基と、ポリヒドロキシル含有アルキル基またはポリヒドロキシル含有アルコキシアルキル基とを含む少なくとも１種の第３級アミン、あるいは（ｅ）（ａ）、（ｃ）および（ｄ）の２つ以上の混合物、または（ａ）、（ｃ）および（ｄ）の１つ以上と、（ｂ）少なくとも１種のカルボン酸または等価物と少なくとも１種のポリアミンとの反応生成物、との混合物である、機能性流体。
【請求項２】
前記潤滑粘度のオイルが、少なくとも１種の天然油、少なくとも１種の合成油、またはこれらの２種以上の混合物を含む、請求項１に記載の機能性流体。
【請求項３】
前記清浄剤が、少なくとも１種のアルカリおよび／またはアルカリ土類金属の少なくとも１種の中性または過塩基性の塩を含む、請求項１または２のいずれか一項に記載の機能性流体。
【請求項４】
前記塩が、１つまたは複数の、スルホナート、カルボキシラート、フェナート、サリシラート、またはこれらの２種以上の混合物である、請求項３に記載の機能性流体。
【請求項５】
前記極性基または原子が窒素原子を含み、前記２つのヒドロカルビル基が合計で少なくとも約８個の炭素原子を含む、請求項１〜４のいずれか一項に記載の機能性流体。
【請求項６】
前記摩擦調整剤が、イソステアリン酸とトリスヒドロキシメチルアミノメタンの縮合生成物を含む、請求項１〜５のいずれか一項に記載の機能性流体。
【請求項７】
前記摩擦調整剤が、ヒドロキシ酸とジ−ココアルキルアミンの縮合生成物を含む、請求項１〜５のいずれか一項に記載の機能性流体。
【請求項８】
前記摩擦調整剤が、３−クロロプロパン−１，２−ジオールとジ−ココアルキルアミンの反応生成物を含む、請求項１〜５のいずれか一項に記載の機能性流体。
【請求項９】
少なくとも１種のカルボン酸分散剤、アミン分散剤、マンニッヒ分散剤、後処理された分散剤、またはこれらの２種以上の混合物をさらに含む、請求項１〜８のいずれか一項に記載の機能性流体。
【請求項１０】
１種または複数の粘度調整剤および／または分散剤粘度調整剤をさらに含む、請求項１〜９のいずれか一項に記載の機能性流体。
【請求項１１】
少なくとも１種の補助摩擦調整剤をさらに含み、該補助摩擦調整剤が、１つまたは複数の、（ｉ）脂肪ホスファイト、（ｉｉ）脂肪酸アミド、（ｉｉｉ）脂肪エポキシド、（ｉｖ）ボラート化脂肪エポキシド、（ｖ）脂肪アミン、（ｖｉ）グリセロールエステル、（ｖｉｉ）ボラート化グリセロールエステル、（ｖｉｉｉ）アルコキシ化脂肪アミン、（ｉｘ）ボラート化アルコキシ化脂肪アミン、（ｘ）脂肪酸の金属塩、（ｘｉ）硫化オレフィン、（ｘｉｉ）脂肪イミダゾリン、（ｘｉｉｉ）カルボン酸とポリアルキレン−ポリアミンの縮合生成物、（ｘｉｖ）アルキルサリシラートの金属塩、（ｘｖ）アルキルリン酸のアミン塩、またはこれらの２種以上の混合物を含む、請求項１〜１０のいずれか一項に記載の機能性流体。
【請求項１２】
１つまたは複数の、亜リン酸、亜リン酸塩、亜リン酸エステル、これらの１つまたは複数の誘導体、またはこれらの２種以上の混合物をさらに含む、請求項１〜１１のいずれか一項に記載の機能性流体。
【請求項１３】
少なくとも１種の分散剤、粘度調整剤、分散剤粘度調整剤、摩擦安定化剤、リン調節剤、耐摩耗剤、補助摩擦調整剤、酸化防止剤、腐食抑制剤、シール膨潤剤、流動点降下剤、染料、流動化剤、臭気マスキング剤、起泡抑制剤および／または希釈油をさらに含む、請求項１〜１２のいずれか一項に記載の機能性流体。
【請求項１４】
前記洗浄剤は、少なくとも１種の過塩基性カルシウムスルホナートを含み、前記機能性流体は、自動変速機流体である、請求項１に記載の機能性流体。
【請求項１５】
機能性流体の製造に使用される濃縮物であって、該濃縮物は、
少なくとも１種の潤滑粘度のオイル；
少なくとも１種の清浄剤であって、該清浄剤は、該機能性流体の約０．０１５から約１重量％の範囲の濃度に等しい量の金属を、該機能性流体にもたらすのに十分な濃度で該濃縮物中に存在し、該清浄剤は、約０．２から約３の範囲の全塩基価に等しい量の塩基性を、該機能性流体にもたらすのに十分な濃度で該濃縮物中に存在する、清浄剤；ならびに
少なくとも１種の摩擦調整剤
を含み、該摩擦調整剤は、極性基または原子に結び付いた少なくとも２つのヒドロカルビル基を含み、摩擦調整剤が、（ａ）少なくとも１種のカルボン酸または等価物と少なくとも１種のアミノアルコールとの反応生成物、（ｃ）次式
Ｒ１Ｒ２Ｎ−Ｃ（Ｘ）Ｒ３
によって表されるアミドまたはチオアミド（式中、ＸはＯまたはＳであり、Ｒ１およびＲ２はそれぞれ独立にヒドロカルビル基であり、Ｒ３は、ヒドロキシアルキル基、またはアシル化剤と該ヒドロキシアルキル基の、そのヒドロキシル基を通じての縮合によって生成する基である）、（ｄ）２つのヒドロカルビル基と、ポリヒドロキシル含有アルキル基またはポリヒドロキシル含有アルコキシアルキル基とを含む少なくとも１種の第３級アミン、あるいは（ｅ）（ａ）、（ｃ）および（ｄ）の２つ以上の混合物、または（ａ）、（ｃ）および（ｄ）の１つ以上と、（ｂ）少なくとも１種のカルボン酸または等価物と少なくとも１種のポリアミンとの反応生成物、との混合物である、濃縮物。
【手続補正２】
【補正対象書類名】明細書
【補正対象項目名】０００６
【補正方法】変更
【補正の内容】
【０００６】
機能性流体は、１つまたは複数の、分散剤、粘度調整剤、分散剤粘度調整剤、摩擦安定化剤、耐摩耗剤、リン調節剤、補助摩擦調整剤、抗酸化剤、腐食抑制剤、シール膨潤剤（ｓｅａｌ  ｓｗｅｌｌ  ａｇｅｎｔ）、流動点降下剤、染料、流動化剤、臭気マスキング剤、起泡抑制剤（ｆｏａｍ  ｉｎｈｉｂｉｔｏｒ）、希釈油、またはこれらのいずれかの２種以上の混合物をさらに含み得る。
本発明は、例えば以下の項目を提供する。
（項目１）
少なくとも１種の潤滑粘度のオイル；
少なくとも１種の清浄剤であって、該清浄剤は、機能性流体の約０．０１５から約１重量％の範囲の濃度に等しい量の金属を、該機能性流体にもたらし、該清浄剤は、約０．３から約２の範囲の全塩基価に等しい量の塩基性を、該機能性流体にもたらす、清浄剤；ならびに
少なくとも１種の摩擦調整剤
を含む、機能性流体であって、該摩擦調整剤が、極性基または原子に結び付いた少なくとも２つのヒドロカルビル基を含み、該摩擦調整剤が、（ａ）少なくとも１種のカルボン酸または等価物と少なくとも１種のアミノアルコールとの反応生成物、（ｂ）少なくとも１種のカルボン酸または等価物と少なくとも１種のポリアミンとの反応生成物、（ｃ）次式
Ｒ１Ｒ２Ｎ−Ｃ（Ｘ）Ｒ３
によって表されるアミドまたはチオアミド（式中、ＸはＯまたはＳであり、Ｒ１およびＲ２はそれぞれ独立にヒドロカルビル基であり、Ｒ３は、ヒドロキシアルキル基、またはアシル化剤と該ヒドロキシアルキル基の、そのヒドロキシル基を通じての縮合によって生成する基である）、（ｄ）２つのヒドロカルビル基と、ポリヒドロキシル含有アルキル基またはポリヒドロキシル含有アルコキシアルキル基とを含む少なくとも１種の第３級アミン、あるいは（ｅ）（ａ）、（ｂ）、（ｃ）および（ｄ）の２つ以上の混合物である、機能性流体。
（項目２）
前記潤滑粘度のオイルが、少なくとも１種の天然油、少なくとも１種の合成油、またはこれらの２種以上の混合物を含む、項目１に記載の機能性流体。
（項目３）
前記潤滑粘度のオイルが少なくとも１種の鉱油を含む、項目１または項目２に記載の機能性流体。
（項目４）
前記清浄剤が、少なくとも１種のアルカリおよび／またはアルカリ土類金属の少なくとも１種の中性または過塩基性の塩を含む、項目１〜３のいずれか一項に記載の機能性流体。
（項目５）
前記塩が、１つまたは複数の、スルホナート、カルボキシラート、フェナート、サリシラート、またはこれらの２種以上の混合物である、項目４に記載の機能性流体。
（項目６）
前記清浄剤が少なくとも１種の過塩基性カルシウムスルホナートを含む、項目１〜５のいずれか一項に記載の機能性流体。
（項目７）
前記極性基または原子が窒素原子を含み、前記２つのヒドロカルビル基が合計で少なくとも約８個の炭素原子を含む、項目１〜６のいずれか一項に記載の機能性流体。
（項目８）
前記摩擦調整剤が、イソステアリン酸とトリスヒドロキシメチルアミノメタンの縮合生成物を含む、項目１〜７のいずれか一項に記載の機能性流体。
（項目９）
前記摩擦調整剤が、ヒドロキシ酸とジ−ココアルキルアミンの縮合生成物を含む、項目１〜８のいずれか一項に記載の機能性流体。
（項目１０）
前記摩擦調整剤が、３−クロロプロパン−１，２−ジオールとジ−ココアルキルアミンの反応生成物を含む、項目１〜９のいずれか一項に記載の機能性流体。
（項目１１）
少なくとも１種のカルボン酸分散剤、アミン分散剤、マンニッヒ分散剤、後処理された分散剤、またはこれらの２種以上の混合物をさらに含む、項目１〜１０のいずれか一項に記載の機能性流体。
（項目１２）
前記カルボン酸分散剤が、少なくとも１種のスクシンイミド分散剤を含む、項目１１に記載の機能性流体。
（項目１３）
前記スクシンイミド分散剤がホウ素を含む、項目１２に記載の機能性流体。
（項目１４）
１種または複数の粘度調整剤および／または分散剤粘度調整剤をさらに含む、項目１〜１３のいずれか一項に記載の機能性流体。
（項目１５）
前記分散剤粘度調整剤が窒素含有メタクリラートポリマーを含む、項目１４に記載の機能性流体。
（項目１６）
窒素含有メタクリラートポリマーが、少なくとも１種のアルキルメタクリラートおよびジメチルアミノプロピルメタクリルアミドから誘導される、項目１５に記載の機能性流体。
（項目１７）
少なくとも１種の補助摩擦調整剤をさらに含み、該補助摩擦調整剤が、１つまたは複数の、（ｉ）脂肪ホスファイト、（ｉｉ）脂肪酸アミド、（ｉｉｉ）脂肪エポキシド、（ｉｖ）ボラート化脂肪エポキシド、（ｖ）脂肪アミン、（ｖｉ）グリセロールエステル、（ｖｉｉ）ボラート化グリセロールエステル、（ｖｉｉｉ）アルコキシ化脂肪アミン、（ｉｘ）ボラート化アルコキシ化脂肪アミン、（ｘ）脂肪酸の金属塩、（ｘｉ）硫化オレフィン、（ｘｉｉ）脂肪イミダゾリン、（ｘｉｉｉ）カルボン酸とポリアルキレン−ポリアミンの縮合生成物、（ｘｉｖ）アルキルサリシラートの金属塩、（ｘｖ）アルキルリン酸のアミン塩、またはこれらの２種以上の混合物を含む、項目１〜１６のいずれか一項に記載の機能性流体。
（項目１８）
１つまたは複数の、亜リン酸、亜リン酸塩、亜リン酸エステル、これらの１つまたは複数の誘導体、またはこれらの２種以上の混合物をさらに含む、項目１〜１７のいずれか一項に記載の機能性流体。
（項目１９）
少なくとも１種の分散剤、粘度調整剤、分散剤粘度調整剤、摩擦安定化剤、リン調節剤、耐摩耗剤、補助摩擦調整剤、酸化防止剤、腐食抑制剤、シール膨潤剤、流動点降下剤、染料、流動化剤、臭気マスキング剤、起泡抑制剤および／または希釈油をさらに含む、項目１〜１８のいずれか一項に記載の機能性流体。
（項目２０）
少なくとも１種の潤滑粘度のオイル；
少なくとも１種の過塩基性カルシウムスルホナート清浄剤であって、該清浄剤は、自動変速機流体の約０．０１５から約１重量％の範囲の濃度に等しい量のカルシウムを、該自動変速機流体にもたらし、該清浄剤は、約０．３から約２の範囲の全塩基価に等しい量の塩基性を、該自動変速機流体にもたらす、清浄剤；ならびに
少なくとも１種の摩擦調整剤
を含む、自動変速機流体であって、該摩擦調整剤が、（ａ）イソステアリン酸とトリスヒドロキシメチルアミノメタンの縮合生成物、（ｂ）少なくとも１種のアルキルもしくはアルケニルコハク酸または無水物と、ジエチレントリアミン、トリエチレンテトラミン、テトラエチレンペンタミン、またはこれらの２種以上の混合物との反応生成物、（ｃ）ヒドロキシ酸とジ−ココアルキルアミンの縮合生成物、（ｄ）３−クロロプロパン−１，２−ジオールとジ−ココアルキルアミンの反応生成物、あるいは（ｅ）（ａ）、（ｂ）、（ｃ）および（ｄ）の２つ以上の混合物を含む、自動変速機流体。
（項目２１）
機能性流体の製造に使用される濃縮物であって、該濃縮物は、
少なくとも１種の潤滑粘度のオイル；
少なくとも１種の清浄剤であって、該清浄剤は、該機能性流体の約０．０１５から約１重量％の範囲の濃度に等しい量の金属を、該機能性流体にもたらすのに十分な濃度で該濃縮物中に存在し、該清浄剤は、約０．３から約２の範囲の全塩基価に等しい量の塩基性を、該機能性流体にもたらすのに十分な濃度で該濃縮物中に存在する、清浄剤；ならびに
少なくとも１種の摩擦調整剤
を含み、該摩擦調整剤は、極性基または原子に結び付いた少なくとも２つのヒドロカルビル基を含み、摩擦調整剤が、（ａ）少なくとも１種のカルボン酸または等価物と少なくとも１種のアミノアルコールとの反応生成物、（ｂ）少なくとも１種のカルボン酸または等価物と少なくとも１種のポリアミンとの反応生成物、（ｃ）次式
Ｒ１Ｒ２Ｎ−Ｃ（Ｘ）Ｒ３
によって表されるアミドまたはチオアミド（式中、ＸはＯまたはＳであり、Ｒ１およびＲ２はそれぞれ独立にヒドロカルビル基であり、Ｒ３は、ヒドロキシアルキル基、またはアシル化剤と該ヒドロキシアルキル基の、そのヒドロキシル基を通じての縮合によって生成する基である）、（ｄ）２つのヒドロカルビル基と、ポリヒドロキシル含有アルキル基またはポリヒドロキシル含有アルコキシアルキル基とを含む少なくとも１種の第３級アミン、あるいは（ｅ）（ａ）、（ｂ）、（ｃ）および（ｄ）の２つ以上の混合物である、濃縮物。